(57)【特許請求の範囲】
【請求項１】
自動販売機の商品展示室内に収納された商品見本を照明する自動販売機用照明装置において、
冷陰極蛍光ランプである光源と、
前記光源から照射される照射光を反射して前記商品見本に照射する反射板と、を有し、
前記光源は、前記商品見本を搭載する商品見本棚の後方に配置され、
前記反射板は、連続して形成された、断面が直線形状の複数の反射部を有し、
前記各反射部は、前記商品見本の高さ方向に延びる中心線と平行に配置された、前記反射板を固定する背面板に対する傾斜角が前記光源から遠ざかるにつれ大きくなり、かつ前記光源からの光を反射する反射面の大きさが前記光源から遠ざかるにつれ大きくなるように構成されていることを特徴とする自動販売機用照明装置。
【請求項２】
前記反射板は１枚の部材からなり、前記各反射部は、折り曲げ加工により形成されている、請求項１に記載の自動販売機用照明装置。
【請求項３】
前記光源が設置された台座と、前記商品見本と前記反射板との間に配置された前記反射光を透過可能な透過板と、前記反射板とにより閉じた空間が形成されている、請求項１または２に記載の自動販売機用照明装置。
【請求項４】
前記反射板は鏡面仕上げされた金属板である、請求項１ないし３のいずれか１項に記載の自動販売機用照明装置。
【発明の詳細な説明】
【技術分野】
【０００１】
本発明は、自動販売機内に収納されている商品見本の照明装置に関する。
【背景技術】
【０００２】
缶入り飲料等の商品を販売する自動販売機は、一般に自動販売機本体の前面に商品展示室を形成し商品見本が陳列され、また、商品展示室の内部には、商品展示室及び商品見本を照明するための光源として蛍光灯が配置されている。
【０００３】
蛍光灯は、商品展示室において利用者が直視できないように配置することが好ましい。特許文献１においては、前面側に斜め上向きに傾斜した見本装着プレート４を備えた見本展示用ステージ１の内部に、照明用の蛍光灯３が配置され、取付孔５を通して商品見本１０を照らすようになっている。
【０００４】
また、特許文献２には、蛍光灯１４の前方に位置して所定の光透過率及び光反射率を有する乳白色の樹脂で形成された光量調整パネル１５と、蛍光灯１４を中心に配置し、複数の反射板１６〜２３によって形成される光反射器２４を有する構成が開示されている。蛍光灯１４は反射板１６〜２３の中央であって、かつ押釦スイッチ５の背面に配置されており、１本の蛍光灯１４からの照射光を反射板１６〜２３で反射させることで均一な照明を得る構成である。
【０００５】
また、特許文献３には、湾曲した反射板を有する照明器具が開示されている。
【特許文献１】特開２００５−１７３８５０号公報
【特許文献２】特開２０００−６７３１５号公報
【特許文献３】特開２００１−１４９０４号公報
【発明の開示】
【発明が解決しようとする課題】
【０００６】
一方、自動販売機の厚みは、自動販売機の実際の設置場所に大きく影響するため、薄ければ薄いほど好ましい。
【０００７】
しかしながら、蛍光灯の管径、あるいは蛍光灯用の安定器の設置場所の関係で、自動販売機の厚みが厚くなってしまうという問題があった。
【０００８】
また、少ない光源数により、商品見本を極力ムラ無く均等に照明することが困難であった。特許文献２は、１本の蛍光灯１４からの照射光を反射板１６〜２３で反射させることで均一な照明を得る構成であるが、これは、均一な照明を必要としない押釦スイッチ５が反射板１６〜２３の中央に配置されている構成であるため、蛍光灯１４を中央に配置することができる。しかしながら、商品見本を照明する場合、商品見本の中央に蛍光灯を配置してしまうと蛍光灯を保持する部材の影により商品見本を均一に照明することができない。
【０００９】
また、特許文献３に開示された湾曲した反射板は、その湾曲面を形成するため製造コストが高くなる場合がある。
【００１０】
そこで、本発明は、自動販売機の厚みが薄型化され、商品見本を均等に照明することができ、かつ製造コストを低減させることができる自動販売機用照明装置を提供することを目的とする。
【課題を解決するための手段】
【００１１】
上記目的を達成するため、本発明の自動販売機用照明装置は、自動販売機の商品展示室内に収納された商品見本を照明する自動販売機用照明装置において、冷陰極蛍光ランプである光源と、光源から照射される照射光を反射して商品見本に照射する反射板と、を有し、光源は、商品見本を搭載する商品見本棚の後方に配置され、反射板は、連続して形成された、断面が直線形状の複数の反射部を有し、各反射部は、商品見本の高さ方向に延びる中心線と平行に配置された、反射板を固定する背面板に対する傾斜角が光源から遠ざかるにつれ大きくなり、かつ光源からの光を反射する反射面の大きさが光源から遠ざかるにつれ大きくなるように構成されていることを特徴とする。
【発明の効果】
【００１２】
本発明の自動販売機用照明装置によれば、自動販売機の厚みを薄型化し、商品見本を均等に照明することができ、かつ製造コストを低減させることができる。
【発明を実施するための最良の形態】
【００１３】
図１（ａ）は本実施形態の自動販売機用照明装置を適用可能な自動販売機の商品展示室の正面図であり、図１（ｂ）はその側面図である。
【００１４】
商品展示室１０は、商品を収納した自動販売機本体（不図示）の正面に配置され、回動自在に支持された扉（不図示）に設けられており、その内部に複数の商品見本１を配列収納している。本実施形態の商品展示室１０の寸法は、高さＨ＝８２９ｍｍ、幅Ｗ＝１１００ｍｍである。本実施形態の商品展示室１０には、３段の商品見本棚１１が設けられており、これら各商品見本棚１１上に商品見本１が一列に配列されている。これら商品見本１は、保持部材（不図示）により商品見本棚１１上に固定されている。商品見本１は、透光性を有する熱可塑性樹脂製の板材をプレス加工することにより、缶又はペットボトル等の容器を前後に半割した形状に成形されたものである。
【００１５】
商品見本１の背面には光透過性材料、例えば透明なアクリル樹脂から形成した透光板４が設けられており、さらにこの透光板４の後方に照明装置２０が設けられている。
【００１６】
図２に本実施形態の照明装置の模式的な側断面図である。
【００１７】
照明装置２０は、光源３と、反射板２とを有する。
【００１８】
光源３は、一般の蛍光ランプよりも細く長寿命なＣＣＦＬランプ（冷陰極蛍光ランプ）を用いることが好ましい。本実施形態では、光源３は、商品見本棚１１の後方に配置され、かつ商品見本１の底部１ａに位置するように台座７上に設けられている。このような位置に配置することで光源３自体の存在をユーザが認識しにくいものとなっている。また、本実施形態では光源３は前後二列に配列されている。
【００１９】
一枚の鏡面仕上げ加工したアルミニウム板からなる反射板２は、二列に配列された光源３のさらに後方に設けられている。なお、反射板２は、アルミニウムの他、ステンレス等も適用可能である。さらに、これら金属板に代えて、ベースとなる板材に銀蒸着層を積層して形成された反射フィルムを貼り付けたものであってもよい。本実施形態の反射板２は、連続して形成された、断面が直線形状の第１反射部２ａ、第２反射部２ｂ及び第３反射部２ｃの３つの反射部を有する。第１反射部２ａは光源３に最も近い位置に配置され、第３反射部２ｃは最も遠い位置に配置され、第２反射部２ｂは第１反射部２ａと第３反射部２ｃとの間に配置されている。これら各反射部は、２ａ、２ｂ、２ｃは、折り曲げ加工により形成されている。
【００２０】
反射板２の高さｈは、商品見本１の高さ寸法より若干低く、第１反射部２ａの高さｈ1よりも第２反射部２ｂの高さｈ2が高く、また、第２反射部２ｂの高さｈ2よりも第３反射部２ｃの高さｈ3が高くなるように構成されている。すなわち、各反射部２ａ、２ｂ、２ｃは、光源３からの光を反射する反射面の大きさが光源３から遠ざかるにつれ大きくなるように構成されている。
【００２１】
また、各反射部２ａ、２ｂ、２ｃはそれぞれ、商品見本１の中心線Ｃに平行な背面板６に対して傾斜して固定されている。第１反射部２ａの傾斜角θ1よりも第２反射部２ｂの傾斜角θ2が大きく、また、第２反射部２ｂの傾斜角θ2よりも第３反射部２ｃの傾斜角θ3が大きくなるように構成されている。すなわち、各反射部２ａ、２ｂ、２ｃは、商品見本１の高さ方向に延びる中心線Ｃと平行に配置された反射板２を固定する背面板６に対する傾斜角が光源３から遠ざかるにつれ大きくなるように構成されている。
【００２２】
なお、本実施形態では商品見本１は商品の容器を前後に半割したものである。よって、上述の中心線Ｃとは、商品見本１を半割せずに商品の容器そのものの形状とした場合、その容器の高さ方向に延びる中心線を意味するものである。
【００２３】
透光板４と、台座７と、反射板２とは、光源３からの光が外部に漏洩しないように閉じた空間を形成している。
【００２４】
すなわち、反射板２の最下端となる第１反射部２ａの端部２ａ1は、反射板２の後方に配置された背面板６に接合されている。端部２ａ1と背面板６との接合位置は、光源３が設置されている台座７の上面に対応する位置としている。このような位置で反射板２と背面板６とを接合することで光源３からの照射光が背面板６の後方、あるいは台座７の下方へと漏洩するのを防止している。
【００２５】
反射板２の最上端となる第３反射部２ｃの端部２ｃ2は、透光板４に接合されている。端部２ｃ2と透光板４との接合位置は、商品見本１の上部１ｃ近傍としている。このような位置で反射板２と透光板４とを接合することで反射板２からの反射光が商品見本１より上方に漏洩するのを防止している。なお、図２では、商品見本１の上端部よりわずかに下方にて端部２ｃ2と透光板４との接合したものを例示しているが、本発明はこれに限定されるものではなく、商品見本１を均等に照明することができるのであれば、商品見本１より上方にて接合するものであってもよい。
【００２６】
第１反射部２ａは、背面板６と接合されている端部２ａ1から傾斜角θ1にて立ち上がり、端部２ａ2にて背面板６の方へと折り曲げられている。
【００２７】
第２反射部２ｂは、端部２ａ2にて背面板６の方へと折り曲げられた第１反射部２ａと背面板６とが当接している位置を端部２ｂ1（台座７から高さｈ1の位置）より傾斜角θ2にて立ち上がり、端部２ｂ2にて背面板６の方へと折り曲げられている。
【００２８】
第３反射部２ｃは、端部２ｂ2にて背面板６の方へと折り曲げられた第２反射部２ｂと背面板６とが当接している位置を端部２ｃ1（台座７から高さｈ1＋ｈ2の位置）より傾斜角θ3にて立ち上がり、端部２ｃ2にて透光板４に接合されている（台座７から高さｈ1＋ｈ2＋ｈ3の位置）。
【００２９】
以上のように、反射板２は、光源３から離れるにつれ、商品見本１の高さ方向に対する寸法が大きく、かつ商品見本１に対して大きく傾いた反射面を有するものである。
【００３０】
図３に光源から反射光の、商品見本への照射状態を示す模式図を示す。
【００３１】
上述した構成の反射板２は、光源３を反射板２の中央部に配置することなく、商品見本１の底部１ａ、胴部１ｂ、及び上部１ｃを照明する。このため、光源を中央部に配置する場合、光源の保持部材による影が生じるが、本実施形態の照明装置２０は、このような問題は生じることなく商品見本１をムラ無く均等に照明することができる。
【００３２】
また、本実施形態の照明装置２０は、光源３としてＣＣＦＬランプを用いたことにより、照明装置２０を薄型化することができた。本実施形態においては、反射板２の、透光板４から背面板６までの奥行きＤ＝３０ｍｍである。これにより、自動販売機自体を薄型化することができ、自動販売機の設置場所の自由度を高めることができる。
【００３３】
また、本実施形態の反射板２は、各反射部２ａ、２ｂ、２ｃは湾曲しておらず、いずれも直線的な形状である。このため、湾曲面を有する反射板に比べ、その製造コストを低減させることができる。また、反射板２は１枚の反射板を折り曲げて反射部２ａ、２ｂ、２ｃを形成しているため、部品点数も少なくて済み、よって製造コストを低減させることができる。
【００３４】
なお、本実施形態の反射板２は反射部２ａ、２ｂ、２ｃからなる３段の傾斜板有する構成を例に示したが、本発明はこれに限定されるものではなく商品見本の大きさ、光源の出力に応じて、２段、あるいは４段以上の構成としてもよい。
【００３５】
また、本実施形態では、光源３が商品見本１の底部１ａ側に配置された構成を例示したが、上部１ｃ側に配置してもよい。なお、この場合、反射板２は図２に示したものを天地逆転して配置することとなる。
【図面の簡単な説明】
【００３６】
【図１】本発明の自動販売機用照明装置を適用可能な自動販売機の商品展示室の正面図及び側面図である。
【図２】本発明の自動販売機用照明装置の一例の模式的な側断面図である。
【図３】本発明の自動販売機用照明装置における、光源から反射光の、商品見本への照射状態を示す模式図を示す。
【符号の説明】
【００３７】
１    商品見本
１ａ    底部
１ｂ    胴部
１ｃ    上部
２ａ1、２ａ2、２ｂ1、２ｂ2、２ｃ1、２ｃ2    端部
２    反射板
２ａ、２ｂ、２ｃ    反射部
３    光源
４    透光板
６    背面板
７    台座
１０    商品展示室
１１    商品見本棚
２０    照明装置
θ1、θ2、θ3    傾斜角
【図１】
0005140872.tif 000002
【図２】
0005140872.tif 000003
【図３】
0005140872.tif 000004